(57)【要約】【課題】高さ或いは傾斜角度を調整できるスライドシステム及びスライドシステムに用いられる調整アセンブリを提供する。【解決手段】スライドシステム３６は、レール４０、可撓性部材４２、及び第一調整装置４４を備える。レール４０は、前部５０ａ及び後部５０ｂを有する。可撓性部材４２は、前部５０ａと後部５０ｂの間に位置し、可撓性部材４２が第一端部５２及び第二端部５４を有する。第一端部５２がレール４０に相対して固定される。第一調整装置４４は、第一端部５２に相対して第二端部５４の高さを調整する。【選択図】図７
2018094378.tif 000002
【特許請求の範囲】
【請求項１】
レール、可撓性部材、及び第一調整装置を備え、
前記レールは、前部及び後部を有し、
前記可撓性部材は、前記前部と前記後部との間に位置し、第一端部及び第二端部を有し、前記第一端部が前記レールに相対して固定され、
前記第一調整装置は、前記第一端部に相対して前記第二端部の高さを調整することを特徴とするスライドシステム。
【請求項２】
前記第一調整装置は、前記可撓性部材の第二端部を支持する第一基台、及び前記第一基台を操作可能に接続する第一調整部材を備えることを特徴とする請求項１に記載のスライドシステム。
【請求項３】
前記第一調整部材は、主体部、及び軸心が前記主体部と異なる偏心部を備え、
前記偏心部は、第一基台に取り付けられることを特徴とする請求項２に記載のスライドシステム。
【請求項４】
前記可撓性部材の第一端部と前記可撓性部材の第二端部とは一体的に形成され、
前記可撓性部材がレールの長さ方向に沿って配置されることを特徴とする請求項１に記載のスライドシステム。
【請求項５】
前記可撓性部材が金属材質或いはプラスチック材質であることを特徴とする請求項１に記載のスライドシステム。
【請求項６】
第二調整装置をさらに備え、
前記第二調整装置は、第二基台、及び前記第二基台の横方向位置を調整する第二調整部材を備え、
前記第二調整部材は、取付台により前記第二基台を操作可能に接続し、
前記第二基台は、前記取付台に相対して枢接されることを特徴とする請求項２に記載のスライドシステム。
【請求項７】
前記レールに接続する第一殻体、及び前記第一殻体に取り付けられる第二殻体をさらに備え、
前記第一調整装置と前記第二調整装置とは、それぞれ前記第一殻体と前記第二殻体とに取り付けられ、
前記第一殻体は、前記レールの後部に隣り合う箇所に取り付けられることを特徴とする請求項６に記載のスライドシステム。
【請求項８】
前記レールは、突出部を有し、
前記突出部は、ガイド面を有し、
前記ガイド面は、傾斜面、または、曲面のいずれか一方であり。
前記可撓性部材の第一端部は、前記突出部に接続することを特徴とする請求項１に記載のスライドシステム。
【請求項９】
第一調整装置は、第一基台、及び前記第一基台を操作可能である第一調整部材を備え、
前記第一調整部材は、前記第一基台の高さを調整し、
前記第一調整部材は、主体部、及び軸心が前記主体部と異なる偏心部を備え、
前記偏心部は、第一基台に取り付けられることを特徴とする調整アセンブリ。
【請求項１０】
家具部材に用いられるスライドシステムにおいて、
第一レール、第二レール、可撓性部材、及び第一調整装置を備え、
前記第二レールは、前記第一レールに相対して縦方向に移動し、前記家具部材を支持し、
前記可撓性部材は、第一端部及び第二端部を有し、前記第一端部が前記第二レールに相対して固定し、
前記第一調整装置は、前記第一端部に相対して前記第二端部の高さを調整することを特徴とするスライドシステム。
【発明の詳細な説明】
【技術分野】
【０００１】
本発明は、調整アセンブリを用いるスライドシステムに関する。
【背景技術】
【０００２】
一般に、スライドレールアセンブリは、家具部材が別の家具部材に相対して閉位置或いは開位置に移動するのに用いられる。
スライドレール産業技術の進歩に従って、現在市場にアンダーマウント式引き出しスライドレール（ｕｎｄｅｒｍｏｕｎｔ  ｄｒａｗｅｒ  ｓｌｉｄｅ）が開発された。
このアンダーマウント式引き出しスライドレールは、引き出しの底部に取り付けられ、引き出しがキャビネットに相対して引き出すとき、アンダーマウント式引き出しスライドレールが引き出しの底部に隠されて暴露されない。
【０００３】
特許文献１には、引き出しが戸棚から任意に抜け出し難いアンダーマウント式引き出しスライドレールを開示されている。アンダーマウント式引き出しスライドレールは、第一レール（１２）及び第一レール（１２）に相対して移動する第二レール（１４）を備える。
第一レール（１２）は、第一取付部（２２）及び第二取付部（２４）を有する。
第一取付部（２２）及び第二取付部（２２）（２４）は、戸棚（３８）の側壁の後端部及び前端部をそれぞれ取り付けられる。
第一取付部（２２）及び第二取付部（２２）（２４）は、参考水平面に相対する垂直距離が違うため、引き出しスライドレール（１０）が戸棚（３８）の後に取り付けられると、傾斜角度Ｒを有する後傾タイプを形成する。
アンダーマウント式引き出しスライドレールは、第二レール（１４）の上壁（２８）の突出部（３４）により、引き出し（４０）の底部に支持するため、引き出しパネル（４２）が戸棚（３８）に取り付けられて生成する傾斜角度を適時に補償して排除し、引き出しパネル（４２）の垂直度をするため、引き出しパネル（４２）が戸棚（３８）に相対する平坦度を保持する。
【０００４】
特許文献２には、引き出しに用いられる引き出すガイド装置が開示されている。ガイド装置は第一保持部材（５）及び第二保持部材（１５）を備える。
第一保持部材（５）及び第二保持部材（１５）は、第一高さ調整装置（６）及び第二高さ調整装置（１６）をそれぞれ備える。
特許文献２の図３（ａ）と図３（ｂ）とに示す通り、第一高さ調整装置（６）はサポートベース（１０）を備える。
サポートベース（１０）は、二つサポートブラケット（２０ａ、２０ｂ）を有する。
引き出し（２）が接続部材（７）に接続すると、二つサポートブラケット（２０ａ、２０ｂ）が引き出しの底部（２ｂ）に部分的に支持する。
接続部材（７）により引き出しを接続するため、サポートベース（１０）の垂直移動（ｖｅｒｔｉｃａｌ  ｍｏｖｅｍｅｎｔ）が引き出し（２）に移転する。
【０００５】
さらに、特許文献２の図６に示す通り、第一保持部材（５）の二つサポートブラケット（２０ａ、２０ｂ）がプルアウトレール（３ａ）（ｐｕｌｌ−ｏｕｔ  ｒａｉｌ）の開孔に取り付けられる。また、他の従来技術が特許文献３から特許文献６に開示されている。
【先行技術文献】
【特許文献】
【０００６】
【特許文献１】米国特許第８、２３１、１８９  Ｂ２号明細書
【特許文献２】米国特許第８、８７０、３１３  Ｂ２号明細書
【特許文献３】米国特許第７、０１４、２８２  Ｂ２号明細書
【特許文献４】米国特許第８、５８５、１６５  Ｂ２号明細書
【特許文献５】米国特許第８、７７７、３４０  Ｂ２号明細書
【特許文献６】米国特許第９、０６６、５８７  Ｂ１号明細書
【発明の概要】
【発明が解決しようとする課題】
【０００７】
しかし、特許文献２の図６のような配置構造は、プルアウトレール（３ａ）の底部の空間を取った。そのため、別のスライドレールの機能部材をプルアウトレール（３ａ）の底部の空間において自由に設置し動作させることはできない。
【０００８】
本発明は、スライドレールに取り付けられて、高さ或いは傾斜角度を調整できるスライドシステム及びスライドシステムに用いられる調整アセンブリを提供することを目的とする。
【課題を解決するための手段】
【０００９】
本発明の一つ態様によるスライドシステムは、レール、可撓性部材、及び第一調整装置を備える。
レールは、前部及び後部を有する。
可撓性部材は、前部と後部の間に位置し、第一端部及び第二端部を有する。第一端部がレールに相対して固定される。
第一調整装置は、第一端部に相対して第二端部の高さを調整する。
【００１０】
好ましくは、第一調整装置は、可撓性部材の第二端部を支持する第一基台、及び第一基台を操作可能に接続する第一調整部材を備える。
第一調整部材は、レールに相対して第二端部の高さを調整する。
【００１１】
好ましくは、第一調整部材は、主体部、及び軸心が主体部と異なる偏心部を備える。
偏心部は、第一基台に取り付けられる。
【００１２】
好ましくは、可撓性部材の第一端部と第二端部とは、一体的に形成される。
可撓性部材がレールの長さ方向に沿って配置される。
【００１３】
好ましくは、可撓性部材が金属材質或いはプラスチック材質である。
【００１４】
好ましくは、第二調整装置をさらに備える。
第二調整装置は、第二基台、及び第二基台の横方向位置を調整する第二調整部材を備える。
【００１５】
好ましくは、第二調整部材は、取付台により第二基台を操作可能に接続する。
第二基台は、取付台に相対して枢接される。
【００１６】
好ましくは、レールに接続する第一殻体、及び第一殻体に取り付けられる第二殻体をさらに備える。
第一調整装置と第二調整装置とは、それぞれ第一殻体と第二殻体に取り付けられる。
第一殻体は、レールの後部に隣り合う箇所に取り付けられる。
【００１７】
好ましくは、第一殻体は、レールの後部に隣り合う箇所に取り付けられる
【００１８】
好ましくは、レールは、突出部を有する。
突出部は、ガイド面を有する。
ガイド面は、傾斜面と曲面のいずれか一方である。
可撓性部材の第一端部は、突出部に接続する。
【００１９】
本発明の別の態様による調整アセンブリは、第一調整装置を備える。
第一調整装置は、第一基台、及び第一基台を操作可能である第一調整部材を備える。
第一調整部材は、第一基台の高さを調整する。
第一調整部材は、主体部、及び軸心が主体部と異なる偏心部を備える。
偏心部は、第一基台に取り付けられる。
【００２０】
好ましくは、可撓性部材の第一端部と可撓性部材の第二端部とは、一体的に形成される。
可撓性部材がレールの長さ方向に沿って配置される。
【００２１】
好ましくは、第二調整装置をさらに備える。
第二調整装置は、第二基台、及び第二基台の横方向位置を調整する第二調整部材を備える。
第一殻体、及び第一殻体に取り付けられる第二殻体をさらに備える。
第一調整装置と第二調整装置とは、それぞれ第一殻体と第二殻体に取り付けられる。
【００２２】
本発明のもう一つの態様による家具部材に用いられるスライドシステムにおいて、第一レール、第二レール、可撓性部材、及び第一調整装置を備える。
第二レールは、第一レールに相対して縦方向に移動し、家具部材を支持する。
可撓性部材は、第一端部及び第二端部を有し、第一端部が第二レールに相対して固定する。
第一調整装置は、第一端部に相対して第二端部の高さを調整する。
【００２３】
好ましくは、第一調整装置は、可撓性部材の第二端部を支持する第一基台、及び第一基台を操作可能に接続する第一調整部材を備える。
第一調整部材は、レールに相対して第二端部の高さを調整する。
第一調整部材は、主体部、及び軸心が主体部と異なる偏心部を備える。
偏心部は、第一基台に取り付けられる。
第一調整部材は、主体部に接続する操作部を備える。
【００２４】
好ましくは、第二調整装置をさらに備える。
第二調整装置は、第二基台、及び第二基台の横方向位置を調整する第二調整部材を備える。
第二基台は、家具部材の後壁の孔に取り付けられる。
第二調整部材は、取付台により第二基台を操作可能に接続する。
【００２５】
好ましくは、レールは、突出部を有する。
可撓性部材の第一端部は、突出部に接続する。
突出部は、ガイド面を有する。
ガイド面は、傾斜面と曲面のいずれか一方であるため、家具部材が取付位置から取付方向に向かって第二レールの後部へ移動するとき、ガイド面が家具部材をガイドする。
【図面の簡単な説明】
【００２６】
【図１】本発明の一実施形態の家具システムの斜視図である。
【図２】本発明の一実施形態の家具システムのキャビネット、及び、引き出しの分解斜視図である。
【図３】図２のＡ区域の拡大図である。
【図４】図２のＢ区域の拡大図である。
【図５】本発明の一実施形態の家具システムの引き出しとスライドシステムとの間の取付関係を示す分解斜視図である。
【図６】本発明の一実施形態の調整アセンブリを示す分解斜視図である。
【図７】本発明の一実施形態の調整アセンブリを示す斜視図である。
【図８】本発明の一実施形態の調整アセンブリの別の視角からの斜視図である。
【図９】本発明の一実施形態の調整アセンブリの第一調整装置が初期状態に位置する場合を示す模式図である。
【図１０】本発明の一実施形態の調整アセンブリの第一調整装置が調整され、一位置に位置する模式図である。
【図１１】本発明の一実施形態の引き出しが一方向に向かってレールに取り付けられる模式図である。
【図１２】本発明の一実施形態の引き出しがレールに取り付けられ、第一調整装置の第一基台が可撓性部材の第二端部を第一高さに支持する模式図である。
【図１３】本発明の一実施形態の第一調整装置の第一基台が可撓性部材の第二端部に第一高さを支持することを示す斜視図である。
【図１４】本発明の一実施形態の引き出しがレールに取り付けられ、第一調整装置の第一基台が可撓性部材の第二端部を第二高さに支持する模式図である。
【図１５】本発明の一実施形態の第一調整装置の第一基台が可撓性部材の第二端部を第二高さに支持することを示す斜視図である。
【図１６】本発明の一実施形態の引き出しがレールに取り付けられ、第一調整装置の第一基台が可撓性部材の第二端部を第三高さに支持する模式図である。
【図１７】本発明の一実施形態の第一調整装置の第一基台が可撓性部材の第二端部を第三高さに支持することを示す斜視図である。
【図１８】本発明の一実施形態の第二調整装置の第二調整部材が調整方向へ向かって第二基台が調整される模式図である。
【図１９】本発明の一実施形態の第二調整装置の第二基台が第二調整部材に調整され、第二基台が別の横方向へ向かって移動する模式図である。
【図２０】本発明の一実施形態の第二調整装置の第二基台が第二調整部材に調整され、第二基台が横方向へ向かって移動する模式図である。
【発明を実施するための形態】
【００２７】
（一実施形態）
図１に示す通り、家具システム２０は、第一家具部材及び第二家具部材を備える。ここにおいて、キャビネット２２と少なくとも一つの引き出し２４（或いは家具部材と略称する）とを第一家具部材及び第二家具部材の例とする。
引き出し２４は、キャビネット２２に相対して閉位置或いは開位置に移動できる。
【００２８】
図２に示す通り、引き出し２４（図２にはただ引き出し２４の部分を示す）は、前壁２６（例えば前板）、後壁２８、底部３０、及び側壁３２を備える。
図３に示す通り、引き出し２４の後壁２８は、取付部を有する。
取付部は、例えば、取付孔３４である。
本実施形態のスライドシステム３６は、家具部材に用いられる。家具部材は、例えば、引き出し２４である。
スライドシステム３６は、第一レール３８、第二レール４０（或いはレールと略称する）、可撓性部材４２、及び第一調整装置４４（図４に示す）を備える。
【００２９】
第一レール３８は、レール支持セグメント４６により、対象物に取り付けられ、例えばキャビネット２２に取り付けられる。
第二レール４０は、第一レール３８の長さ方向に沿って第一レール３８に相対して縦方向に移動する。
好ましくは、第一レール３８と第二レール４０との間に移動可能に取り付けられる第三レール４８をさらに備えるため、第二レール４０が第一レール３８に相対して移動行程を延長できる。
【００３０】
図２と図４とに合わせて示すように、可撓性部材４２は、第二レール４０の前部５０ａと後部５０ｂの間に位置する。可撓性部材４２は、細長状の薄板である。
この実施形態において、可撓性部材４２は、第二レール４０の後部５０ｂに隣り合う箇所に位置される。
可撓性部材４２は、長手方向に沿った端部である第一端部５２及び長手方向に沿って、第一端部５２の反対側に第二端部５４を有し、第一端部５２が第二端部５４に相対して固定される。例えば第一端部５２は、溶接、リベット接合、螺接及び他の類似の固定手段等により第二レール４０に固定される。
好ましくは、可撓性部材４２は、第二レール４０の長さ方向に沿って配置され、縦方向に長さを有する。
好ましくは、可撓性部材４２の第一端部５２と第二端部５４とは、一体的に形成され、金属材質或いはプラスチック材質である。
好ましくは、第二レール４０は、突出部５３を有し、可撓性部材４２の第一端部５２が突出部５３に接続される。
突出部５３は、ガイド部としてのガイド面５５を有し、ガイド面５５が傾斜面と曲面のいずれか一方である。
【００３１】
第一調整装置４４は、可撓性部材４２の第二端部５４が第一端部５２に相対する高さを調整できる。
好ましくは、第一調整装置４４に隣り合う箇所に位置される第二調整装置５６をさらに備え、第二調整装置５６と第一調整装置４４とが調整アセンブリ５８を構成する。
【００３２】
図５に、引き出し２４とスライドシステム３６との間の取付関係を示す。引き出し２４の底部３０は第二レール４０に支持される。
第二レール４０が第一レール３８に相対して移動するため、引き出し２４がキャビネット２２に相対して収納状態から開状態を移動する。
【００３３】
図６と図７とに示す通り、第一調整装置４４は、第一調整部材６０及び第一基台６２を備える。
一方、第二調整装置５６は、第二調整部材６４及び第二基台６６を備える。
【００３４】
好ましくは、第一調整装置４４は、第一殻体６８に取り付けられる。
第二調整装置５６は、第二殻体６９に取り付けられる。
さらに、第一殻体６８は、第一側板７０ａ、第二側板７０ｂ、後板７２、及び下板７４を有する。
後板７２は、第一側板７０ａ、第二側板７０ｂ、及び下板７４を延伸接続する。
また、後板７２が第一係合部７２ａを有し、下板７４が第二係合部７４ａを有する。
これら係合部７２ａ、７４ａは、それぞれ孔の実施形態である。
第一殻体６８の第二側板７０ｂは、側孔７７をさらに有する。
【００３５】
第二殻体６９は、第一隔板７１、第二隔板７３、及び上板７５を有する。
上板７５は、第一隔板７１及び第一隔板７１を延伸接続する。
また、第一隔板７１は、二つの対応部７１ａ、７１ｂを有する。対応部７１ａは、第一殻体６８の第一係合部７２ａと係合する。対応部７１ｂは、第二係合部７４ａと係合する。それによって、第二殻体６９が第一殻体６８に着実に取り付けられる。
この時、第二殻体６９の第二隔板７３は、第一殻体６８の第二側板７０ｂに当接或いは隣り合う。
それによって、第一殻体６８と第二殻体６９との間の組み合わさった殻体は、一つの殻体と見なしてもよい。
この構成によると、第二殻体６９の第一隔板７１と第一殻体６８との間で第一取付空間Ｓ１及び第二取付空間Ｓ２を形成する。
また、第二隔板７３は、ノッチ７３ａを有し、第一殻体６８の第二側板７０ｂの側孔７７に対応する。
【００３６】
好ましくは、第一殻体６８の第一基台６２は、第一壁７６ａ、第二壁７６ｂ、及び第一壁７６ａと第二壁７６ｂとのいずれか一方にほぼ垂直に接続する支持壁７６ｃを有する。
この実施形態において、支持壁７６ｃが第一壁７６ａと第二壁７６ｂとの間に接続する支持壁７６ｃを例とする。
第一壁７６ａ及び第二壁７６ｂの位置は、第一取付空間Ｓ１及び第二取付空間Ｓ２をそれぞれに対応する。
【００３７】
言及しておくべきは、支持壁７６ｃは、可撓性部材４２の第二端部５４を支持するのに用いられる。
可撓性部材４２の第二端部５４の位置が第一端部５２を離れ、第二端部５４が係合、リベット接合、溶接、螺接及び他の類似の接続手段等により第一基台６２に接続される。
【００３８】
第一調整装置４４の第一調整部材６０は、主体部７８、偏心部８０、及び操作部８２を備える。
主体部７８は、ほぼ円形構造である。
偏心部８０は、主体部７８と異なる軸心であり（或いは異なる中心）、第一殻体６８の後板７２の開口８４を通じ、第一基台６２に取り付けられるため、第一基台６２が第一調整部材６０に調整される。
好ましくは、第一基台６２が第一調整部材６０の偏心部８０に対応する接続孔８５を有し、接続孔８５の広さｗは第一調整部材６０の偏心部８０の外径より大きい。
接続孔８５が長孔であり、接続部材８６により、第一基台６２に配置される。
接続部材８６は、第一接続部８７ａ及び第一接続部８７ａに接続する第二接続部８７ｂを有する。
第一接続部８７ａの外径は、接続孔８５の高さｈより高いにより、第一接続部８７ａが第一基台６２に取り付けられるとき、第一接続部８７ａが接続孔８５の外に位置する。
第二接続部８７ｂの外径は、接続孔８５の高さｈより低いにより、接続孔８５を通じ、第一調整部材６０の偏心部８０に接続される。
操作部８２は、主体部７８に接続される。
【００３９】
好ましくは、第一調整部材６０の主体部７８及び第一殻体６８は、互いに対応する第一嵌合部８８及び第二嵌合部９０を有する。
この実施形態において、主体部７８の周りに複数の第一嵌合部８８を有し、第一殻体６８の後板７２が一つ第二嵌合部９０を有することを例とする。
第一嵌合部８８と第二嵌合部９０とは、凹と凸、凸と凹の対応構造とすることができるため、第一調整部材６０が調整されると、複数の第一嵌合部８８いずれか一つが一つ第二嵌合部９０と係合することにより、第一調整部材６０が第一殻体６８に相対して一時的に係止する。
【００４０】
言及しておくべきは、実際には、主体部７８の周りに一つ第二嵌合部９０を有し、第一殻体６８が複数の第一嵌合部８８を有することもできる。実施形態を限定するものではない。
【００４１】
第二調整装置５６の第二基台６６は、支持脚９１及び支持脚９１から延伸し予定縦方向の長さを有する延伸段９２を有する。
好ましくは、第二調整部材６４は、取付台９４により、第二基台６６を操作可能に接続する。
第二基台６６は、取付台９４に相対して枢接される。
この実施形態において、第二基台６６は、軸部材９６により、取付台９４に枢接され、軸部材９６の両端Ｅ１、Ｅ２がそれぞれ第二殻体６９の第一隔板７１及び第二隔板７３を穿置される。
さらに、取付台９４及び第二調整部材６４は、互いに対応する第一調整構造９８及び第二調整構造１００を有する。
第一調整構造９８及び第二調整構造１００は、互いに対応する螺接構造を例とする。
【００４２】
図７と図８とに示す通り、第一調整装置４４の第一調整部材６０は、第一殻体６８の後板７２に取り付けられる。
一方、第二調整装置５６の第二基台６６は、第二取付空間Ｓ２に位置し、第二基台６６の延伸段９２が第二取付空間Ｓ２の外まで部分的に伸ばす。
第二調整装置５６の第二調整部材６４は、第二殻体６９の第二隔板７３に取り付けられる。
具体的には、図６と図７とに合わせて示すように、第二調整部材６４は、頭部１０２、頭部１０２に接続する頸部１０３、及び頸部１０３に接続する身部１０４を有する。頭部１０２の頭径サイズは、頸部１０３の身径サイズ及び身部１０４の身径サイズより大きい。
身部１０４は、第二調整構造１００を有し、第二殻体６９の第二隔板７３のノッチ７３ａに穿入し、第二殻体６９の第二隔板７３のノッチ７３ａにより、第二取付空間Ｓ２に入り、取付台９４に接続し、頭部１０２が第二殻体６９の第二隔板７３の外に位置し、頸部１０３が第二殻体６９の第二隔板７３のノッチ７３ａの内壁に位置する（図１８から図２０に示す）。
【００４３】
図９と図１０とに示す通り、第一調整装置の第一調整部材６０は、第一基台６２を操作可能に接続し、可撓性部材４２の第二端部５４が第一基台６２に接続される。
第一調整装置４４の第一調整部材６０は、偏心部８０と主体部７８が異なる軸心を有するため、使用者が一方向へ、例えば第一回転方向Ｒ１へ力を加えると、偏心部８０が第一基台６２を第一位置Ｐ１から直立方向Ｕへ向かって第二位置Ｐ２まで連動して上がる。
つまり、第一調整部材６０は、第一基台６２を操作可能できるため、第一基台６２と可撓性部材４２との両方、またはいずれか一方の高さが調整される。
【００４４】
図１１に示す通り、調整アセンブリ５８の第一殻体６８は、第二レール４０に接続され、例えば第二レール４０の後部５０ｂの隣り合う箇所に固定的に接続される。
第二レール４０に引き出し２４を取り付きたいとき、操作者は、引き出し２４を第一取付位置Ｌ１（或いは一位置と略称する）から取付方向Ｄへ向かって第二レール４０の後部５０ｂへ移動し、この過程において、突出部５３のガイド面５５により案内して、引き出し２４が可撓性部材４２を登り、引き出し２４が第二取付位置Ｌ２にあり、引き出し２４が可撓性部材４２の第一端部５２から第二端部５４まで移動すると、第三取付位置Ｌ３にあり、第二基台６６の延伸段９２が引き出し２４の後壁２８の取付孔３４を挿入して取り付けられる。
【００４５】
図１２に示す通り、引き出し２４が第二レール４０に取り付けられる。
可撓性部材４２の第一端部５２は、第二レール４０の突出部５３を接続し、例えば第二レール４０の突出部５３を固接する。
一方、第一調整装置４４の第一基台６２は、第一位置Ｐ１に位置するため、可撓性部材４２の第二端部５４を支持する。
可撓性部材４２の第二端部５４が第二レール４０に相対して高さ、例えば第一高さＨ１を形成する。
図１３に合わせて示すように、第一調整装置４４の第一調整部材６０が、第一基台６２に相対して予定状態を位置する。
【００４６】
図１４と図１５とに示す通り、引き出し２４がキャビネット２２に相対して傾斜角度を調整したいとき、使用者は、第一回転方向Ｒ１へ力を加えると、第一基台６２が第一位置Ｐ１から第二位置Ｐ２まで連動されて上がる。それによって、可撓性部材４２の第二端部５４が第二レール４０に相対して第二高さＨ２を形成する。第二高さＨ２が第一高さＨ１より高い（数式ではＨ２＞Ｈ１）。
これによって、引き出し２４の後壁２８が前壁２６に相対して持ち上げられ、後壁２８の取付孔３４の内壁１０８が第二基台６６の延伸段９２と少々連動して回転する。
【００４７】
図１６と図１７とに示す通り、使用者が第二回転方向Ｒ２へ力を加えると、第一調整部材６０が操作され、第一基台６２が第二位置Ｐ２から第三位置Ｐ３まで連動して下がる。それによって、可撓性部材４２の第二端部５４が第一端部５２に相対して第三高さＨ３を形成する。第三高さＨ３が第一高さＨ１と第二高さＨ２の間である（数式ではＨ１＜Ｈ３＜Ｈ２）。
これによって、可撓性部材４２の第一端部５２が第二レール４０に相対して固定するとき、第一調整部材６０により、第一端部５２に相対する第二端部５４の高さを調整し、引き出し２４の傾斜角度を変える。より具体的には、第一調整装置４４により、引き出し２４の前壁２６の部分に相対する後壁２８の部分の傾斜角度を変えることができる。
【００４８】
図１８と図１９とに示す通り、引き出し２４の後壁２８の取付孔３４が第二調整装置５６の第二基台６６の横方向の位置に合わないとき、操作者が第二調整装置５６の第二調整部材６４により、第二基台６６が第二レール４０の長さの縦方向に相対する横方向の位置を調整する。
具体的には、使用者が第一調整方向Ｒ１１へ第二調整部材６４に力を加えると、第二基台６６が第一殻体６８に相対して第一調整位置Ｐ１１から第二調整位置Ｐ１２まで横方向に移動する。
ここでは、取付台９４は、第二調整部材６４の操作に応じて、第二基台６６を連動させ、横方向に移動させる。
【００４９】
図１９と図２０とに示す通り、使用者が第二調整方向Ｒ１２へ第二調整部材６４に力を加えると、第二基台６６が第一殻体６８に相対して第二調整位置Ｐ１２から第三調整位置Ｐ１３まで横方向に移動する。
【００５０】
前述した本発明の実施形態は本発明を限定するものではなく、よって、本発明により保護される範囲は特許請求の範囲を基準とする。
【符号の説明】
【００５１】
２０  家具システム
２２  キャビネット
２４  引き出し
２６  前壁
２８  後壁
３０  底部
３２  側壁
３４  取付孔
３６  スライドシステム
３８  第一レール
４０  第二レール
４２  可撓性部材
４４  第一調整装置
４６  レール支持セグメント
４８  第三レール
５０ａ  前部
５０ｂ  後部
５２  第一端部
５３  突出部
５４  第二端部
５５  ガイド面
５６  第二調整装置
５８  調整アセンブリ
６０  第一調整部材
６２  第一基台
６４  第二調整部材
６６  第二基台
６８  第一殻体
６９  第二殻体
７０ａ  第一側板
７０ｂ  第二側板
７１  第一隔板
７１ａ、７１ｂ  対応部
７２  後板
７２ａ  第一係合部
７３  第二隔板
７３ａ  ノッチ
７４  下板
７４ａ  第二係合部
７５  上板
７６ａ  第一壁
７６ｂ  第二壁
７６ｃ  支持壁
７７  側孔
７８  主体部
８０  偏心部
８２  操作部
８４  開口
８５  接続孔
８６  接続部材
８７ａ  第一接続部
８７ｂ  第二接続部
８８  第一嵌合部
９０  第二嵌合部
９１  支持脚
９２  延伸段
９４  取付台
９６  軸部材
９８  第一調整構造
１００  第二調整構造
１０２  頭部
１０３  頸部
１０４  身部
１０８  内壁
Ｄ  取付方向
Ｅ１、Ｅ２  端
Ｕ  直立方向
Ｈ１  第一高さ
Ｈ２  第二高さ
Ｈ３  第三高さ
Ｌ１  第一取付位置
Ｌ２  第二取付位置
Ｌ３  第三取付位置
Ｐ１  第一位置
Ｐ２  第二位置
Ｐ３  第三位置
Ｐ１１  第一調整位置
Ｐ１２  第二調整位置
Ｐ１３  第三調整位置
Ｒ１  第一回転方向
Ｒ２  第二回転方向
Ｒ１１  第一調整方向
Ｒ１２  第二調整方向
Ｓ１  第一取付空間
Ｓ２  第二取付空間
ｗ  広さ
ｈ  高さ
【図１】
2018094378.tif 000003
【図２】
2018094378.tif 000004
【図３】
2018094378.tif 000005
【図４】
2018094378.tif 000006
【図５】
2018094378.tif 000007
【図６】
2018094378.tif 000008
【図７】
2018094378.tif 000009
【図８】
2018094378.tif 000010
【図９】
2018094378.tif 000011
【図１０】
2018094378.tif 000012
【図１１】
2018094378.tif 000013
【図１２】
2018094378.tif 000014
【図１３】
2018094378.tif 000015
【図１４】
2018094378.tif 000016
【図１５】
2018094378.tif 000017
【図１６】
2018094378.tif 000018
【図１７】
2018094378.tif 000019
【図１８】
2018094378.tif 000020
【図１９】
2018094378.tif 000021
【図２０】
2018094378.tif 000022